(57)【要約】      （修正有）【課題】広い面積を覆う場合でも施工工事が容易で、既設の壁の改装が容易なタイル外壁構造を提供する。【解決手段】建物の外側を覆う複数枚の外壁パネル１１と、それらの外壁パネルを覆うように設けられる複数枚のタイルパネル１２とからなり、タイルパネルが、金属製の基板２１と、その基板上に設けられる変成シリコーン系の接着剤層２２と、その接着剤層の上に隙間２３、２４をあけて配列され、接合されている多数の磁器質のタイル２５とからなり、タイルの隙間から見える接着剤が目地材となっている。【選択図】図３
0003163326.tif 000002
【実用新案登録請求の範囲】
【請求項１】
建物の外側を覆う外壁パネルと、その外壁パネルを覆うように設けられる複数枚のタイルパネルとからなり、
前記タイルパネルが、金属製の基板と、その基板上に設けられる変成シリコーン系の接着剤層と、その接着剤層の上に隙間をあけて配列され、接合されている多数のタイルとからなり、タイルの隙間から見える接着剤が目地材となっているタイル外壁構造。
【請求項２】
前記タイルは、基板の上端または下端のうち一方の端縁から所定の寸法だけ控えた位置から接合が開始され、他方の端縁の近辺では、前記所定の寸法に目地の幅を加えた分だけタイルから突出しており、
前記基板の一方の端縁またはその近辺が上下に隣接する他のタイルパネルの基板の端縁と当接すると共に、その一方の端縁の側のタイルが隣接する他のタイルパネルの基板に重ねられている請求項１記載のタイル外壁構造。
【請求項３】
前記基板の一方の端縁近辺が、他方のタイルパネルの基板の端縁と当接する段部を経由して、その他方のタイルパネルの基板の背面側に重なるように延びている請求項２記載のタイル外壁構造。
【請求項４】
前記基板が亜鉛メッキ鋼板からなり、前記タイルが磁器質タイルである請求項１〜３のいずれかに記載のタイル外壁構造。
【請求項５】
前記外壁パネルが複数枚のパネルからなり、隣り合う外壁パネルの間に、タイルパネルの目地材と同色の目地ガスケットが嵌合されている請求項１〜４のいずれかに記載のタイル外壁構造。
【請求項６】
前記外壁パネルが、偏平な金属製の縦パイプおよび横パイプを組合せた矩形状の枠体と、その枠体の外面側に設けられる耐火板と、その耐火板の外面に設けられる金属薄板とからなり、
その金属薄板の端縁が、耐火板の側面および枠体の側面を覆い、かつ、枠体の裏面に係合するように折り曲げられている
請求項１〜５のいずれかに記載のタイル外壁構造。
【請求項７】
前記枠体が亜鉛メッキ鋼板からなり、前記金属薄板がアルミニウム板またはアルミニウム合金板である請求項６記載のタイル外壁構造。
【請求項８】
前記タイルパネルの基板が外壁パネルの枠体に対してクギまたはネジによって固定されている請求項７載のタイル外壁構造。
【請求項９】
前記外壁パネルが建物の角部に設けられており、前記タイルパネルの基板が建物の角部に対応するように折り曲げられており、その折り曲げられたコーナ部にＬ字状のタイルが接着されている請求項１〜８のいずれかに記載のタイル外壁構造。
【請求項１０】
前記Ｌ字状のタイルが、長い板片と短い板片とを直角に連結したものであり、それらのタイルが交互に逆向きで上下に配列されている請求項９記載のタイル外壁構造。
【考案の詳細な説明】
【技術分野】
【０００１】
本考案はタイル外壁構造に関する。さらに詳しくは、既設の住宅の外壁に比較的容易に適用することができ、さらにタイル張りの外観にすることができるタイル外壁構造に関する。
【背景技術】
【０００２】
特許文献１には、金属板の表面にアクリルエマルジョン系等のプライマーを塗布し、さらにそのプライマー上に主剤と副剤とからなる接着剤を塗布して多数のタイル又はタイルユニットを配列貼着したタイルパネルが開示されている。接着剤の主剤としては、エポキシ系樹脂１５〜３０ｗｔ％とフィラー８５〜７０ｗｔ％などがあげられ、副剤としては硬化剤５〜４０ｗｔ％、硬化促進剤５ｗｔ％以下、流動化剤５ｗｔ％以下および上記フィラー９０〜６０ｗｔ％とからなるものが開示されている。
【０００３】
他方、特許文献２には、タイル等の方形状石質薄板の裏面に、金属板を無機資材を主体とする耐火性の接着剤出貼り合わせて複合板とし、その複合板の端部を折り曲げて、下側に隣接する金属板と重ね合わせる固定用耳を形成したサイディング用の石質薄板状パネルが開示されている。金属板の材質としてはステンレス、亜鉛板、アルミニウムなどがあげられ、耐火性接着剤としては、無機剤と合成高分子エマルジョンとを組合せ、特殊スサを混合した下地処理材料があげられている。この複合板は、１枚の薄板の裏面に１枚の金属板を貼り合わせたものをユニットとして、多数のユニットを縦横に配列して壁面を覆うものである。
【０００４】
特許文献３には、湾曲された金属板の表面に、その表面に沿うように湾曲したタイルを弾性接着剤で接着したタイル貼りパネルが開示されている。金属板の側縁は、建物の間柱に固定しやすいように裏面側に折り曲げ、さらに表面と平行となるように内向きに折り曲げている。このタイル貼りパネルは、タイルが熱膨張・熱収縮しても、応力集中がなく、住宅の出隅部や入隅部に取付けると、湾曲部の弾力性外壁の隅角部に亀裂が発生せず、防水性能が優れているとされている。弾性接着剤としては、弾性を保有したまま固化し、接着するもので、アクリル系弾性接着剤、ウレタン系弾性接着剤、接着性ブチルゴムシート、ゴム系接着剤、チオコール系接着剤があげられている。
【０００５】
特許文献４には、Ｌ字型に折り曲げた金属板と、その表面のコーナ部に互いに隣接するように弾性接着剤によって接着されたタイルとからなるコーナ用タイルサイディングおよびその取り付け構造が開示されている。このものは金属板を既設の壁面にクギなどで固定することにより、既存の建物に対して比較的容易に装備することができる。
【先行技術文献】
【特許文献】
【０００６】
【特許文献１】特公平２−５０２号公報
【特許文献２】実公平５−９３８４号公報
【特許文献３】特許第３０２０２８８号公報
【特許文献４】特許第４０３２９６５号公報
【考案の概要】
【考案が解決しようとする課題】
【０００７】
特許文献１のタイルパネルは、広い面積の壁面でも少ない枚数のパネルで覆うことができるが、金属板の表面にプライマーと接着剤を順に塗布するので、施工工事が煩雑である
。他方、特許文献２の複合板は、耐火性が高い反面、広い面積の壁面を多う場合は多数の複合板を取付ける必要があり、施工工事が煩雑である。また、特許文献１のタイルパネルおよび特許文献２の複合板は、いずれも、柱や壁面のコーナ部を覆うことができない。
【０００８】
他方、特許文献３のタイル貼りパネルは、建物のコーナ部に設けることができるが、湾曲した形状となるので、建物のデザインが変わってしまう。そのため、その建物の他の部分との調和がとれず、とくに和式建築に用いるのは違和感がある。
【０００９】
本考案は広い面積を覆う場合でも施工工事が容易なタイルパネルを提供することを技術課題としている。さらに本考案は、コーナ部を備えた建築物に対し、外観デザインをあまり変えずに外装工事を行うことができるタイルパネルを提供することを第２の技術課題をしている。
【課題を解決するための手段】
【００１０】
本考案のタイル外壁構造（請求項１）は、建物の外側を覆う外壁パネルと、その外壁パネルを覆うように設けられる複数枚のタイルパネルとからなり、前記タイルパネルが、金属製の基板と、その基板上に設けられる変成シリコーン系の接着剤層と、その接着剤層の上に隙間をあけて配列され、接合されている多数のタイルとからなり、タイルの隙間から見える接着剤が目地材となっていることを特徴としている。
【００１１】
このようなタイル外壁構造においては、前記タイルが基板の上端または下端のうち一方の端縁から所定の寸法だけ控えた位置から接合が開始され、他方の端縁の近辺では前記所定の寸法に目地の幅を加えた分だけタイルから突出しており、前記基板の一方の端縁が上下に隣接する他のタイルパネルの基板の端縁と当接すると共に、その一方の端縁の側のタイルが隣接する他のタイルパネルの基板に重ねられているものが好ましい（請求項２）。その場合前記基板の一方の端縁近辺が、他方のタイルパネルの基板の端縁と当接する段部を経由して、その他方のタイルパネルの基板の背面側に重なるように延びているものが好ましい（請求項３）。さらに前記基板が亜鉛メッキ鋼板からなり、前記タイルが磁器質タイルであるものが好ましい（請求項４）。また、前記外壁パネルが複数枚のパネルからなり、隣合う外壁パネルの間に、タイルパネルの目地材と同色の目地ガスケットが嵌合されているものが好ましい（請求項５）。
【００１２】
さらに前記外壁パネルが、偏平な金属製の縦パイプおよび横パイプを組合せた矩形状の枠体と、その枠体の外面側に設けられる耐火板と、その耐火板の外面に設けられる金属薄板とからなり、その金属薄板の端縁が、耐火板の側面および枠体の側面を覆い、かつ、枠体の裏面に係合するように折り曲げられているものが好ましい（請求項６）。その場合、前記枠体が亜鉛メッキ鋼板からなり、前記金属薄板がアルミニウム板またはアルミニウム合金板であるものが一層好ましい（請求項７）。さらに前記タイルパネルの基板が外壁パネルの枠体に対してクギまたはネジによって固定されているものが好ましい（請求項８）。
【００１３】
さらに前記いずれのタイル外壁構造においても、外壁パネルが建物の角部に設けられており、前記タイルパネルの基板が建物の角部に対応するように折り曲げられており、その折り曲げられたコーナ部にＬ字状のタイルが接着されているタイル外壁構造とすることができる（請求項９）。その場合、前記Ｌ字状のタイルが、長い板片と短い板片とを直角に連結したものであり、それらのタイルが交互に逆向きで上下に配列されているものとすることができる（請求項１０）。
【考案の効果】
【００１４】
本考案のタイル外壁構造（請求項１）は、金属製の基板に対して多数のタイルを接着し
ているので、１枚のパネルを壁面などに取付けるだけで多数枚のタイルを取付けたのと同様の効果が得られる。しかも硬化せず、弾力性を維持する変成シリコーン系の接着剤層によって接着しているので、接着強度および耐久性が高く、タイルの品質によっても変わらない接着強度が得られる。さらに隣接するタイルの間から見える変成シリコーン系の接着剤が目地材のように見えるので、高級感が得られる。
【００１５】
このようなタイル外壁構造において、前記タイルが基板の上端または下端のうち一方の端縁から所定の寸法だけ控えた位置から接合が開始され、他方の端縁の近辺では前記所定の寸法に目地の幅を加えた分だけタイルから突出しており、前記基板の一方の端縁が上下に隣接する他のタイルパネルの基板の端縁と当接すると共に、その一方の端縁の側のタイルが隣接する他のタイルパネルの基板に重ねられている場合(請求項２）は、上下の基板
の継ぎ目がタイル同士の左右の隙間から見えるだけであるので、見栄えがよい。
【００１６】
前記基板の一方の端縁近辺が、他方のタイルパネルの基板の端縁と当接する段部を経由して、その他方のタイルパネルの基板の背面側に重なるように延びている場合（請求項３）は、上下の基板の端縁近辺同士が重なるので、防水機能が高い。
【００１７】
また、前記基板が亜鉛メッキ鋼板であり、前記タイルが磁器質タイルである場合（請求項４）は、耐候性が高く、さらに高級な外観が得られる。また、前記外壁パネルが複数枚のパネルからなり、隣合う外壁パネルの間に、タイルパネルの目地材と同色の目地ガスケットが嵌合されているタイル外壁構造（請求項５）では、外壁全体に統一した外観を与えることができ、外壁改装に好適に用いることができる。
【００１８】
また、前記外壁パネルが、偏平な金属製の縦パイプおよび横パイプを組合せた矩形状の枠体と、その枠体の外面側に設けられる耐火板と、その耐火板の外面に設けられる金属薄板とからなり、その金属薄板の端縁が、耐火板の側面および枠体の側面を覆い、かつ、枠体の裏面に係合するように折り曲げられている場合（請求項６）は、耐火耐熱性が高い外壁パネルとタイルパネルとが一体となって建物を延焼から一層安全に防ぐことができる。その場合、前記枠体を亜鉛メッキ鋼板から構成し、前記金属薄板をアルミニウム板またはアルミニウム合金板から構成すると（請求項７）、耐候性も一層高くなり、いつまでも美麗な外観を保つことができる。さらに前記タイルパネルの基板が外壁パネルの枠体に対してクギまたはネジによって固定されている場合（請求項８）は、火災によって接着剤の接着機能が失われたとしても、クギまたはネジによってタイルパネルが保持され、落下しにくくなる。
【００１９】
前記外壁パネルが建物の角部に設けられており、前記タイルパネルの基板が建物の角部に対応するように折り曲げられており、その折り曲げられたコーナ部にＬ字状のタイルが接着されている場合（請求項９）は高級感が与えられる。その場合、前記Ｌ字状のタイルとして長い板片と短い板片とを直角に連結したものを採用し、それらのタイルを交互に逆向きで上下に配列すると（請求項１０）、煉瓦積みの形態が得られ、一層高級感を備えた外観となる。以下、図面を参照しながら本考案のタイル外壁構造の実施形態を説明する。
【図面の簡単な説明】
【００２０】
【図１】本考案のタイル外壁構造の正面図である。
【図２】図１のタイル外壁構造のII-II線拡大断面図である。
【図３】図１のタイル外壁構造の施工途中を示す要部斜視図である。
【図４】図１のタイル外壁構造を用いた建物の平面断面図である。
【図５】本考案のタイル外壁構造の他の実施形態を示す斜視図である。
【図６】本考案のタイル外壁構造のさらに他の実施形態を示す斜視図である。
【図７】図７ａおよび図７ｂは本考案のタイル外壁構造に用いるタイルパネルの他の実施形態を示す正面図および側面図、図７ｃはそのタイルパネルを上下に積み上げたときの継ぎ目を示す拡大断面図、図７ｄは継ぎ目同士を重ねた実施形態を示す拡大断面図である。
【図８】本考案のタイル外壁構造に用いるタイルパネルのさらに他の実施形態を示す斜視図である。
【考案を実施するための形態】
【００２１】
図１に示すタイル外壁構造１０は、建物の外壁パネル１１と、その外側に設けられるタイルパネル１２とから構成されている。この実施形態では、外壁パネル１１は、偏平な金属パイプ（図２参照）を組合せた枠体１３と、その枠体の上に設けられる耐火板１４と、その上に設けられる金属薄板１５とからなる。枠体１３は、左右一対の偏平な金属製の縦パイプ１６と、縦パイプの上端同士および下端同士を連結する上下の横パイプ１７と、上下の横パイプ１７の間で縦パイプ同士を連結する複数本の横桟１８によって連結されている。
【００２２】
縦パイプ１６の高さは建物の１階分に相当する２５００〜２８００ｍｍ程度の高さとする。ただしその１／２、１／３、１／４の高さにしてもよい。その場合は２〜４枚の外壁パネル１１を積み重ねるようにする。横パイプ１７や横桟１８の長さは建物の形状による。通常は９００〜２７００ｍｍ程度である。
【００２３】
それらの金属パイプは、たとえば亜鉛メッキ鋼板、アルミニウム板、ステンレス鋼板、ガルバニウム鋼板など、耐候性が高い金属薄板をパイプ状に折り曲げて溶接したもの、あるいは押し出し成形によって製造されたものが用いられる。パイプ同士は溶接により結合する。ただしハンダ付けやボルト締めなどで一体化してもよい。
【００２４】
耐火板１４としては、石膏ボード、軽量発泡コンクリートなど、無機系材料製のボードが用いられる。木片や木粉をセメントで一体に硬化させたセメントリッチの木質ボードを使用することもできる。そのようなボードとして積水化学工業株式会社製のシンセライト（登録商標）があげられる。また、木材からなる外壁ボードを用いることもできる。石膏ボードは耐熱・耐火性が高い反面、強度が低いため、金属薄板１５で保護する。金属薄板１５は、図２および図３に示すように、左右の端縁部１９が耐火板１４の側面および枠体１３の側面を覆い、かつ、その先端部２０が枠体の裏面に係合するように折り曲げられている。それにより耐火板１４を枠体１１に結合する。ただし耐火板１４をエチレン酢酸ビニル系の接着剤で枠体１１に接着してもよく、金属薄板１５と耐火板１４とをゴム系接着剤で接着してもよい。金属薄板１５はアルミニウム板が好ましく、とくにカラー処理したアルミニウムないしアルミニウム合金薄板が好ましい。ただし亜鉛メッキ鋼板などでもよい。なお、ボードの種類によっては、枠体を用いずにボードを壁材料の外面に配列・接着して外壁を直接構成することもできる。
【００２５】
このような外壁パネル１１としては、たとえば工場内で鉄骨を組み合せたフレームに仕切り壁などを作り付けてユニットを構成し、現場でいくつかのユニットを組み立てて構成するユニット住宅に用いるものがある。このような外壁パネル１１は、外観や耐久性の向上を目的として設置される。ただしユニット住宅のほか、一般的な鉄骨系住宅の外壁パネルに用いることもできる。これらの外壁パネル１１は、通常は既設のものを用いるが、新築の建物の外壁パネル１１を用いてもよい。
【００２６】
前記タイルパネル１２は、金属製の基板２１と、その上に均一に塗布される変性シリコーン系の接着剤層２２と、その上に隙間２３、２４を開けて配列され、接着されるタイル２５とからなる。基板２１は、亜鉛メッキ鋼板、アルミニウム板などの耐候性が高く、加工が容易なものが好ましい。図２、図３に示すように、基板２１の側縁２６は、３〜８ｍ
ｍの幅で曲げている。この折り曲げた側縁２６を外壁パネル１１の側縁に係合することにより、位置決めが容易になる。
【００２７】
金属製の基板２１にタイル２５を接着するために用いる前述の変性シリコーン系の接着剤層２２としては、変性シリコーン系の二液性の弾性エポキシ接着剤が好ましい。タイル２５を基板２１に貼り付ける工程は、現場作業ではなく、通常は工場内で効率的に行う。
【００２８】
前記タイル２５は高級感を与える磁器タイルが好ましい。磁器タイルのほか、たとえば窯業板、石板なども使用することができる。このような磁器系タイルは金属板に接着しにくいが、変成シリコーン系の接着剤を用いると、長期間安定して接着することができる。また、変成シリコーン系の弾性接着剤は施工後も硬化せず、長期間弾力性を維持する。そのため、基板２１が熱膨張、熱収縮して変形してもタイル２５をしっかりと保持する。
【００２９】
隣接するタイル２５同士は所定の隙間２３、２４を空けて整列させる。隙間２３、２４の寸法は５〜１０ｍｍ程度である。タイル２５を接着剤層２２に押し付けると、押し出される接着剤が隙間２３、２４に逃げる。そのため、タイル２５の高さを均一にすることができ、基板２１に対して平行に配置できる。また、隙間２３、２４から見える接着剤がタイル２５の施工後に隙間に充填した目地材のように見えるので、施工後の外観が優れている。タイルパネル１２はあらかじめ工場で製造しておく。基板２１には、タッピングネジやクギなどを通すための貫通孔（図示省略）が形成される。貫通孔は、タッピングネジやクギを打つときに形成してもよく、あらかじめ隙間２３、２４に対応する部位に形成してもよい。それにより、タイル２５を傷つけずに基板２１をタッピングネジやクギで外壁パネル１１に固定することができる。
【００３０】
タイルパネル１２は通常は、たとえばＩＮＡＸ社が製造販売している外装用接着剤で、一液性の弾性接着材「ワンパックボーイ（株式会社ＩＮＡＸの商標）あるいはセメダイン株式会社が販売しているタイルエース（セメダイン社の商標）などの弾性接着剤で外壁パネル１１の金属薄板１５に接着する（図１、図２の「接着剤層２７」参照）。接着が完了するまではタイルパネル１２をタッピングネジやクギで固定する。そのとき、前述の貫通孔にタッピングネジやクギを通す。なお、先端にドリルチップを備えたタッピングネジを用いる場合は、あらかじめ貫通孔を形成しておく必要がない。タイルパネル１２をネジやクギを用いて固定すると、火災などで接着剤の接着力が低下しても、タイルパネル１２を外壁パネル１１に固定することができ、落下を防止できる利点がある。
【００３１】
図３に示すように、タイル２５の左右の隙間２４は、上下の段で半ピッチずつずらせた、いわゆる煉瓦積みの形態とするのが美観の点で好ましい。この場合、壁面の端部では、横に長いタイル２５と、その半分程度の長さのタイル２５とを交互に敷き詰める。長いタイル２５の左右の長さはたとえば２００〜２３０ｍｍ程度、上下の幅は６０〜７５ｍｍ程度である。
【００３２】
前記のように構成されるタイル外壁構造１０は、たとえば図４に示すように、住宅の外壁に用いることにより、建物の外観を向上させることができ、耐火性、耐候性など、磁器系タイルが奏しうる作用効果を奏する。図４において符号３１は建物のコーナ部に設けられる角パイプからなる柱であり、符号３２は断面コ字状の軽量鉄骨からなる間柱である。前記外壁パネル１１は、間柱３２にデイジーリベットと呼ばれる特殊リベットなどで固定する。隣接する外壁パネル１１同士の間には隙間３３が設けられ、その隙間にガスケット３４が嵌合されている。ガスケット３４はゴムまたは軟質合成樹脂製で、防水性および弾力性を備えている。このガスケット３４は外壁パネル１１の隙間を隠して美観を向上させると共に、熱収縮や熱膨張を緩衝作用を行わせるものである。また、ある程度は隙間の奥まで雨水が入り込まないように防水機能を発揮する。
【００３３】
このガスケット３４の色は、タイルパネル１２の接着剤層２２の色と合わせておく。それにより壁面全体のデザインを統一させることができる。既存の住宅の外壁パネル１１にタイルパネル１２を取り付ける場合は、元々装着されていたガスケットを取り除き、新たなガスケット３４を装着するが、そのときに色を合わせる。
【００３４】
上記のように構成され、装着されるタイル外壁構造１０は、既存の外壁パネル１１の上にタイルパネル１２を取り付けるだけで、耐久性、耐候性を向上させることができ、さらに高級感のあるタイル外壁とすることができるので、大幅に美観を向上させることができる。しかも後から取り付けるタイルパネル１２が基板２１と、接着剤層２２と、タイル２５から構成された、比較的薄く軽量のパネルであるので、仕上げがシンプルである。そのため、既存の外壁パネル１１が石膏ボードなどの耐火板を備えている場合でも、全体の厚さを薄くすることができ、窓やドア回りの段差が少なく違和感がない。
【００３５】
図１〜４のタイル外壁構造１０は、平板状であるが、図５に示すようにコーナ部に対応するタイル外壁構造３５とすることもできる。このタイル外壁構造３５は、Ｌ字状に折れ曲がっている外壁パネル３６と、その外壁パネルの外面に装着されるタイルパネル３７とからなる。外壁パネル３６は、平面形状でＬ字状に屈曲している。図１の場合と同様に耐火板および金属薄板を設ける場合もある。このような外壁パネル３６は、図４のように建物のコーナ部に設けられる角パイプからなる柱３１に沿って配置される。
【００３６】
タイルパネル３７は、金属板からなる基板２１と、その上に設けられる接着剤層２２と、その上に隙間２３、２４をあけて張られるタイル２５とからなる。基板２１の左端側の側縁２６は図３のタイルパネル１２と同様に短く折り曲げられている。右端側の側縁はかなり長く折り曲げており、角部から折り曲げ片４０にかけて平面視がＬ字状のＬ型タイル４１が貼られている。この実施形態では、Ｌ型タイル４１は長い板片４１ａと短い板片４１ｂを直角に結合した形状であり、同じ向きで上下に配列されている。そのため、Ｌ型タイル４１と、それに隣接するタイルとの隙間４２は、上下に直線状に連続している。ただし図６に示すように、Ｌ型タイル４１の向きを交互に代えながら上下に配列することもできる。その場合は隣接するタイルとの隙間４２も他の部分の隙間２３、２４と同様にクランク状に折れ曲がり、煉瓦積みの形態となる。また、Ｌ型タイル４１の形状は全て同形であるので、量産効果が得られる。
【００３７】
前記実施形態では、外壁パネル１１、３６の上に、とくに金属薄板１５の上に直接タイルパネル１２を設けているが、モルタル塗装、リシン吹きつけなど、外装塗料を介してタイルパネル１２を設けるようにしてもよい。既設の建物の場合は、金属薄板１５の上にモルタル塗装などの外装塗料を設けていることもある。その場合は、通常は外装塗料を剥がしてからタイルパネルと取り付ける。しかし工数を少なくするため、外装塗料の上にタイルパネルを設けてもよい。
【００３８】
図１のタイル外壁構造１０に用いられているタイルパネル１２では、基板２１の下端と最下段のタイル２５の下端とは揃えている。そして基板２１の上端では、タイル２５は目地の寸法だけ控えて接合が始まっている。しかし図７ａ、図７ｂ、図７ｃに示すように、タイルパネル１２の下端側では、基板２１の下端縁から所定の重なり分の寸法ａ（５〜１０ｍｍ程度）だけタイル２５を下方に突出させ、上端側では基板２１の上端縁から前記重なり寸法ａに目地の寸法ｂ（５〜１０ｍｍ程度）を加えた分、すなわち合計（ａ+ｂ）で
１０〜２０ｍｍ程度だけ控えて接合を始めるようにしてもよい。
【００３９】
このように構成する場合は、図７ｃに示すように上側のタイルパネル１２Ａのタイル２５が下側のタイルパネル１２Ｂの基板２１の前側に来るため、上側のタイルパネル１２Ａ
で下側のタイルパネル１２Ｂの基板２１を押えることができる。また、タイルパネル１２を上下に積み上げるだけで上下のタイルパネルを正確に揃えることができる。さらに図７ａに示すように、上下の基板２１の継ぎ目４３が左右のタイル２５の目地の隙間から見えるだけであるので、見栄えがよくなる。なお、上記とは逆に、タイルパネル１２の上端側で基板２１の上端縁から所定の重なり分の寸法ａだけタイル２５を上方に突出させ、下端端側では基板２１の下端縁から前記重なり寸法ａに目地の寸法ｂを加えた分だけ控えて接合を始めるようにしてもよい。
【００４０】
図７ｄに示すタイル外壁構造の実施形態では、下方の基板２１の上端近辺を基板の板厚分だけ後方に一段ずらせている。すなわち、上方の基板２１の下端と当接する段部４４を設け、その段部より上側４５は、板厚分だけ後にずらせている。このものは上側のタイルパネル１２Ａを取り付けたとき、図７ｃの場合と同様に、上側のタイルパネル１２Ａのタイル２５で下側のタイルパネル１２Ｂの基板２１を押えることができ、強度が向上することに加えて、段部より上側４５と上方の基板２１の下部との重なり幅が大きいため、隙間から雨水が漏れず、防水機能が高い利点がある。図７ｄの構造も上下を逆にすることができる。
【００４１】
図７ａ〜ｄの基板２１とタイル２５を上下にずらす構成は、図８に示す角部に用いるタイルパネル３７についても採用することができる。この場合、基板２１が直角に曲がっているので、下の基板２１の上に次の基板２１を順に積み上げていくことができ、外壁構造を容易に構成することができる。
【符号の説明】
【００４２】
１０  タイル外壁構造
１１  外壁パネル
１２  タイルパネル
１３  枠体
１４  耐火板
１５  金属薄板
１６  縦パイプ
１７  横パイプ
１８  横桟
１９  端縁
２０  先端
２１  基板
２２  接着剤層
２３、２４  隙間
２５  タイル
２６  側縁
２７  接着剤層
３１  柱
３２  間柱
３３  隙間
３４  ガスケット
３５  タイル外壁構造
３６  外壁パネル
３７  タイルパネル
４０  折り曲げ片
４１  Ｌ型タイル
４１ａ  長い板片
４１ｂ  短い板片
４２  隙間
ａ  重なり分の寸法
ｂ  目地の寸法
４３  継ぎ目
４４  段部
４５  段部より上側
【図１】
0003163326.tif 000003
【図２】
0003163326.tif 000004
【図３】
0003163326.tif 000005
【図４】
0003163326.tif 000006
【図５】
0003163326.tif 000007
【図６】
0003163326.tif 000008
【図７】
0003163326.tif 000009
【図８】
0003163326.tif 000010